(57)【特許請求の範囲】
【請求項１】
角筒状に組み立てられた包装ケースに被収容物を収容した後、包装ケースの両側壁部の上端及び下端に連設された左右の折込みフラップを内側へ折曲げて上下に重ね合せ、後側壁部の上端及び下端に連設された上下の蓋部を内側へ折曲げて各折込みフラップに重ね合せて、各蓋部の遊端側に連設された差込みフラップを前側壁部と各折込みフラップとの間に差し込んで封止する包装ケース封止構造において、
前記差込みフラップにおける前記被収容物の外周面と対向する部分に、
前記包装ケースに収容した状態における前記被収容物の外周面と対向する方向に向けて、該被収容物の外周面に対して押し付けられる高さに突出されるとともに、該被収容物の外周面に沿って変形する接触抵抗付与部を設けた
包装ケース封止構造。
【請求項２】
前記接触抵抗付与部を、
前記差込みフラップの前記被収容物の外周面と対向する差込み側平面部に形成され、前記被収容物の外周面に対し押し付けられる方向に突設した凸部で構成した
請求項１に記載の包装ケース封止構造。
【請求項３】
前記接触抵抗付与部を、
前記差込みフラップの前記被収容物の外周面と対向する差込み側平面部に形成され、該被収容物の外周面に対し押し付けられる方向に突設された複数の突起で構成した
請求項１に記載の包装ケース封止構造。
【請求項４】
前記接触抵抗付与部を、
前記差込みフラップの前記被収容物の外周面と対向する差込み側端部に形成され、該被収容物の外周面と対向する方向へ折曲げ可能な折曲げ部で構成した
請求項１に記載の包装ケース封止構造。
【請求項５】
前記前側壁部を、前記両側壁部の一方の壁部に連設された前側外壁部と、他方の壁部に連設された前側内壁部とを一体的に重ね合せて構成した
請求項１〜４のいずれか一つに記載の包装ケース封止構造。
【発明の詳細な説明】
【技術分野】
【０００１】
この発明は、例えば円筒状、円柱状等の上方から見て丸形状の被収容物を包装する際に用いられる包装ケース封止構造に関する。
【背景技術】
【０００２】
従来、上述の包装ケースは、被収容物の出し入れがスムースに行える大きさ及び形状に形成しているが、例えば円柱状の被収容物を収容した場合、包装ケースの内壁面と被収容物の外周面とが部分的に線接触しているだけであるので、輸送中に生じる振動や衝撃によって包装ケースに収容された被収容物が周方向に回転しやすく、被収容物の向きが変位するのを防止することができない。
【０００３】
例えば円柱状の被収容物を、透明なプラスチックシートで形成された包装ケースに収容する場合、被収容物の商品価値を高めるため、被収容物の商品名が印刷された表示面と、包装ケースの商品名が印刷された正面とを一致させて収容する。しかし、被収容物を包装ケースに収容したまま店頭等に展示した際、被収容物の表示面と包装ケースの正面とが不一致になっていると、被収容物の商品価値を低下させることになる。
【０００４】
したがって、被収容物を包装ケースに収容したまま展示する場合、被収容物を包装ケースから取り出して、被収容物の表示面と包装ケースの正面とが一致するように向き修正しなければならず、被収容物の向きを修正する作業に手間及び時間が掛かるだけでなく、被収容物を、収容時の向きに保ったまま輸送することができないという問題を有している。
【０００５】
また、被収容物の回転を防止する方法として、例えば既に提案済みの包装体（特許文献１参照）には、一対の物品保持具の窓開き部に貼着された伸縮フィルムを被保持物品に密着させて拘束した後、被保持物品を一対の物品保持具で保持したまま、断面が矩形状の外装カートンに収容する構成が開示されている。
【０００６】
しかし、被保持物品を一対の物品保持具で保持したまま外装カートンに収容するので、被収容物を包装する作業に手間及び時間が掛かるだけでなく、包装コストが高くなるという問題がある。また、被収容物を取り出す際、被保持物品が保持された一対の物品保持具を外装カートンから取り出した後、該各物品保持具による保持を解除して被収容物を取り出さなければならず、被保持物品を取り出す作業にも手間及び時間が掛かる。
【先行技術文献】
【特許文献】
【０００７】
【特許文献１】特開２００８−１７９４１３号公報
【発明の概要】
【発明が解決しようとする課題】
【０００８】
この発明は、包装ケースに収容された被収容物の向きが変位したり、ガタ付いたりするのを防止することができる包装ケース封止構造を提供することを目的とする。
【課題を解決するための手段】
【０００９】
この発明は、角筒状に組み立てられた包装ケースに被収容物を収容した後、包装ケースの両側壁部の上端及び下端に連設された左右の折込みフラップを内側へ折曲げて上下に重ね合せ、後側壁部の上端及び下端に連設された上下の蓋部を内側へ折曲げて各折込みフラップに重ね合せて、各蓋部の遊端側に連設された差込みフラップを前側壁部と各折込みフラップとの間に差し込んで封止する包装ケース封止構造において、前記差込みフラップにおける前記被収容物の外周面と対向する部分に、前記包装ケースに収容した状態における前記被収容物の外周面と対向する方向に向けて、該被収容物の外周面に対して押し付けられる高さに突出されるとともに、該被収容物の外周面に沿って変形する接触抵抗付与部を設けたことを特徴とする。
【００１０】
上記構成により、蓋部に連設された差込みフラップを、前側壁部と折込みフラップとの隙間に差し込んだ際、差込みフラップの差込み側端部に設けられた接触抵抗付与部が、包装ケースに収容された被収容物の外周面に対し押し付けられる。また、接触抵抗付与部の押し付け力によって、接触抵抗付与部が押し付けられた部分と反対側の被収容物の外周面が包装ケースの内壁面に押し付けられる。この結果、被収容物の対向する外周面に対し接触抵抗が同時に付与されることになる。
【００１１】
これにより、例えば輸送中において、包装ケースに収容された被収容物が周方向に回転しようとするのを防止することができる。
【００１２】
この発明の態様として、前記接触抵抗付与部を、前記差込みフラップの前記被収容物の外周面と対向する差込み側平面部に形成され、前記被収容物の外周面に対し押し付けられる方向に突設した凸部で構成することができる。  
上記構成によれば、蓋部に連設された差込みフラップを、前側壁部と折込みフラップとの隙間に差し込むことにより、差込みフラップに突設した凸部（例えば突出部）が被収容物の外周面に対し押し付けられる。  
これにより、被包装物の外周面に対し凸部の接触抵抗が付与されるので、被収容物が回転するのを防止することができる。
【００１３】
また、この発明の態様として、前記接触抵抗付与部を、前記差込みフラップの前記被収容物の外周面と対向する差込み側平面部に形成され、該被収容物の外周面に対し押し付けられる方向に突設された複数の突起で構成することができる。  
上記構成によれば、蓋部に連設された差込みフラップを、前側壁部と折込みフラップとの隙間に差し込むことにより、差込みフラップに設けた複数の突起が被収容物の外周面に対し押し付けられる。  
これにより、被包装物の外周面に対し各突起の接触抵抗が付与されるので、被収容物が回転するのを防止することができる。
【００１４】
また、この発明の態様として、前記接触抵抗付与部を、前記差込みフラップの前記被収容物の外周面と対向する差込み側端部に形成され、該被収容物の外周面と対向する方向へ折曲げ可能な折曲げ部で構成することができる。  
上記構成によれば、蓋部に連設された差込みフラップを、前側壁部と折込みフラップとの隙間に差し込む際、差込みフラップの折曲げ部を被収容物の外周面と対向する方向へ折曲げてから差し込むことにより、差込みフラップの折曲げ部が被収容物の外周面に対し押し付けられる。  
これにより、被包装物の外周面に対し折曲げ部の接触抵抗が付与されるので、被収容物が回転するのを防止することができる。
【００１５】
また、この発明の態様として、前記前側壁部を、前記両側壁部の一方の壁部に連設された前側外壁部と、他方の壁部に連設された前側内壁部とを一体的に重ね合せて構成することができる。  
上記構成によれば、前側外壁部と前側内壁部とを一体的に重ね合せているので、差込みフラップの接触抵抗付与部を被収容物の外周面に対し押し付けた際の反発力によって、前側外壁部及び前側内壁部が外側へ変形するのを防止することができる。これとは逆に、前側外壁部及び前側内壁部の復元力によって、差込みフラップの接触抵抗付与部が被収容物の外周面に対し強く押し付けられる。  
これにより、被包装物の対向する前後外周面に対し接触抵抗が同時に付与されるので、被収容物が回転するのを積極的に防止することができる。
【００１６】
前記被収容物は、例えば化粧品、文具、玩具、食品、或いは、飲み物が充填された容器等の上方から見て丸形状（円筒状、円柱状等）に形成された物品で構成することができる。  
また、包装ケースは、例えば生分解性プラスチック、塩化ビニル（ＰＶＣ）、ポリプロピレン（ＰＰ）、ポリエチレン（ＰＥ）、アモルファスポリエチレンテレフタレート（Ａ−ＰＥＴ）等の透明、半透明、不透明に形成されたプラスチックシート、或いは、所望する表示内容が印刷されたプラスチックシート等で構成することができる。  
また、粘着体は、例えば粘着剤、接着剤、両面粘着テープ等で構成することができる。
【発明の効果】
【００１７】
この発明によれば、輸送中において、包装ケースに収容された被収容物が周方向に回転しようとするのを防止することができる。つまり、被収容物の向きが収容時とは異なる方向に変位したり、被収容物がガタ付いたりせず、収容時の向き及び位置を保ったまま輸送することができる。また、例えば被収容物を包装ケースに収容したまま展示する際、被収容物の向きを修正するような手間及び作業が省け、収容時の向き及び位置を保ったまま展示することができる。
【図面の簡単な説明】
【００１８】
【図１】第１の実施形態の突出部を備えた包装ケースを示す斜視図。
【図２】包装ケースの展開状態を示す平面図。
【図３】横長の突出部を被収容物に押し付けた状態を示す横断平面図。
【図４】縦長の突出部を差込みフラップに形成した第２の実施形態を示す斜視図、突出部を被収容物に押し付けた状態を示す横断平面図。
【図５】楔状の突出部を差込みフラップに形成した第３の実施形態を示す斜視図、突出部の断面形状を示す縦断側面図。
【図６】滑らかな曲面の突出部を差込みフラップに形成した第４の実施形態を示す斜視図、突出部を被収容物に押し付けた状態を示す横断平面図。
【図７】粘着体を差込みフラップに塗布又は貼着した第５の実施形態を示す斜視図、粘着体を被収容物に押し付けた状態を示す横断平面図。
【図８】ドット状の突起を差込みフラップに形成した第６の実施形態を示す斜視図、突起を被収容物に押し付けた状態を示す横断平面図。
【図９】面状の粘着体を突出部に貼着した第７の実施形態を示す横断平面図、ドット状の粘着体を差込みフラップに複数配列した他の実施形態を示す斜視図。
【図１０】折曲げ部を差込みフラップに形成した第８の実施形態を示す横断平面図、折曲げ部を被収容物に押し付けた状態を示す横断平面図。
【図１１】折曲げ片を差込みフラップに形成した第９の実施形態を示す横断平面図、折曲げ片を被収容物に押し付けた状態を示す横断平面図。
【発明を実施するための形態】
【００１９】
この発明の一実施形態を以下図面に基づいて詳述する。  
図１は第１の実施形態の突出部２７を備えた包装ケース２０を示す斜視図、図２は包装ケース２０の展開状態を示す平面図、図３は横長の突出部２７を被収容物Ａに押し付けた状態を示す横断平面図である。
【００２０】
本実施形態の包装ケース封止構造は、包装ケース２０の上面側開口部に連設された上蓋部２１ａの差込みフラップ２１ｃと、下面側開口部に連設された底蓋部２１ｂの差込みフラップ２１ｄに形成された突出部２７で構成している。  
また、包装ケース封止構造の包装ケース２０は、図２に示すように、正面から見て縦長矩形状に形成された後側壁部２１と、後側壁部２１の両側縁部に連設された右側壁部２２と左側壁部２３と、左側壁部２３の遊端側縁部に連設された前側外壁部２４と、右側壁部２２の遊端側縁部に連設された前側内壁部２５とで構成している。
【００２１】
後側壁部２１の上縁部には上蓋部２１ａを連設し、該後側壁部２１の下縁部には底蓋部２１ｂを連設している。また、上蓋部２１ａの遊端側縁部には差込みフラップ２１ｃを連設し、底蓋部２１ｂの遊端側縁部には差込みフラップ２１ｄを連設している。
【００２２】
右側壁部２２の上下縁部には折込みフラップ２２ａをそれぞれ連設している。また、左側壁部２３の上下縁部には折込みフラップ２３ａをそれぞれ連設している。  
また、差込みフラップ２１ｃ，２１ｄの基端側両側部には、折込みフラップ２２ａ，２３ａを重ね合せてなる肉厚より幅広に切り欠いてなる切欠き部２１ｅをそれぞれ形成している。  
また、折込みフラップ２２ａ，２３ａの連設側前縁部には、前側外壁部２４の左右上端と左右下端に対し当接される当接部２２ｂ，２３ｂをそれぞれ形成している。
【００２３】
後面壁部２１の両側縁部に沿って折り曲げられる右側壁部２２及び左側壁部２３の折曲げ部分と、右側壁部２２の遊端側縁部に沿って折り曲げられる前側内壁部２５の折曲げ部分と、左側壁部２３の遊端側縁部に沿って折り曲げられる前側外壁部２４の折曲げ部分には、後述する折曲げ罫線２６を折曲げ部分に沿って形成している。
【００２４】
また、右側壁部２２の上下縁部に沿って折り曲げられる折込みフラップ２２ａの折曲げ部分と、左側壁部２３の上下縁部に沿って折り曲げられる折込みフラップ２３ａの折曲げ部分と、上蓋部２１ａの遊端側縁部に沿って折り曲げられる差込みフラップ２１ｃの折曲げ部分と、底蓋部２１ｂの遊端側縁部に沿って折り曲げられる差込みフラップ２１ｄの折曲げ部分にも、上述の折曲げ罫線２６を折曲げ部分に沿って形成している。
【００２５】
すなわち、上述の折曲げ罫線２６を各折曲げ部分に形成することで、右側壁部２２及び左側壁部２３は正面方向(図１の手前側)に向けて折り曲げが許容される。また、前側外壁部２４及び前側内壁部２５は互いに重ね合わされる方向に向けて折り曲げが許容される。
【００２６】
折込みフラップ２２ａ，２３ａは包装ケース２０の上面側開口部及び下面側開口部と対向する方向に折り曲げが許容される。また、差込みフラップ２１ｃ，２１ｄは前側内壁部２５と折込みフラップ２２ａ，２３ａとの隙間に対し差し込まれる方向に折曲げが許容される。
【００２７】
上述の折曲げ罫線２５を包装ケース２０の各折曲げ部分に形成する場合、例えば包装ケース２０を平面展開してなる大きさ及び形状に、約０．３ｍｍの厚さを有する透明又は半透明のプラスチックシートを型抜きする際に形成する(図２参照)。
【００２８】
折曲げ罫線２５は、図示しない罫線刃により長手方向から見てＶ字状に１条形成しているが、各折曲げ部分に沿って複数条平行に形成してもよい。また、プラスチックシートを型抜きしてから形成してもよい。
【００２９】
差込みフラップ２１ｃ，２１ｄの差込み側平面部には、包装ケース２０に収容された被収容物Ａの外周面Ａａと対向して横長の突出部２７を形成している。
【００３０】
突出部２７は、差込みフラップ２１ｃ，２１ｄの差込み側平面部に沿って幅方向に平行して形成するとともに、上下方向に間隔を隔てて２条形成している。
【００３１】
また、突出部２７は、包装ケース２０に収容された被収容物Ａの外周面Ａａに対し押し付けられる高さに突出され、切欠き部２１ｅ，２１ｅ間の間隔（又は幅）より短尺に形成している。  
なお、突出部２７を、差込みフラップ２１ｃ，２１ｄの横幅と同等長さに形成してもよい。また、突出部２７を、例えば１条、２条以上等の所望する本数に変更してもよい。
【００３２】
つまり、差込みフラップ２１ｃ，２１ｄを、前側内壁部２５と折込みフラップ２２ａ，２３ａとの隙間に対し上下方向からそれぞれ差し込む際、差込みフラップ２１ｃ，２１ｄの突出部２７を、包装ケース２０に収容された被収容物Ａの前側外周面Ａａと対向して内側に向けて差し込む。
【００３３】
上述のようにして差し込むことにより、差込みフラップ２１ｃ，２１ｄの各突出部２７は、包装ケース２０に収容された被収容物Ａの前側外周面Ａａに対し正面側から押し付けられる。
【００３４】
突出部２７は、被収容物Ａの前側外周面Ａａに沿って押し付けられた際、該前側外周面Ａａに沿って弧状に弾性変形するので、突出部２７と前側外周面Ａａとの接触面積が大きくなるだけでなく、その接触面積に対応して被収容物Ａに付与される接触抵抗が大きくなる。
【００３５】
上述した被収容物Ａを、角筒状に組み立てられた包装ケース２０に収容する包装ケース封止構造を説明する。  
先ず、展開状態の包装ケース２０の後側壁部２１と、右側壁部２２と、左側壁部２３と、前側外壁部２４と、前側内壁部２５とを折曲げ罫線２６に沿って内側へ折り曲げるとともに、前側外壁部２４に対し前側内壁部２５を内側から２重に重ね合せて図示しない接着剤で接着固定する。  
これにより、包装ケース２０を、下面側開口部及び上面側開口部が開口された角筒状に組み立てることができる。
【００３６】
次に、右側壁部２２の下側折込みフラップ２２ａと左側壁部２３の下側折込みフラップ２３ａとを、包装ケース２０の下面側開口部が閉塞される方向へ折り曲げて上下に重ね合せる。
【００３７】
また、下側折込みフラップ２２ａの当接部２２ｂ，２２ｂを前側外壁部２４の左右下端に当接する。さらに、下側折込みフラップ２３ａの当接部２３ｂ，２３ｂを下から重ね合せて当接する。  
これにより、折込みフラップ２２ａ，２３ａが包装ケース２０の内側へ押し込まれるのを防止することができる。
【００３８】
次に、底蓋部２１ｂを、包装ケース２０の下面側開口部が閉塞される方向へ折り曲げて下側折込みフラップ２２ａ，２３ａの下に重ね合せるとともに、底蓋部２１ｂの差込みフラップ２１ｄを前側外壁部２４と下側折込みフラップ２２ａ，２３ａとの隙間に下方から差し込んで閉塞する。  
これにより、包装ケース２０を、下面側開口部が閉塞され、上面側開口部が開口された角筒状に組み立てることができる。
【００３９】
次に、円柱状の被収容物Ａを、角筒状に組み立てられた包装ケース２０に対し該包装ケース２０の上面側開口部から収容する。この後、右側壁部２２の上側折込みフラップ２２ａと左側壁部２３の上側折込みフラップ２３ａとを、包装ケース２０の上面側開口部が閉塞される方向へ折り曲げて上下に重ね合せる。
【００４０】
上側折込みフラップ２２ａの当接部２２ｂ，２２ｂを前側外壁部２４の左右上端に当接する。さらに、上側折込みフラップ２３ａの当接部２３ｂ，２３ｂを上から重ね合せて当接する。
【００４１】
次に、上蓋部２１ａを、包装ケース２０の上面側開口部が閉塞される方向へ折り曲げて上側折込みフラップ２２ａ，２３ａの上に重ね合せるとともに、上蓋部２１ａの差込みフラップ２１ｃを前側外壁部２４と上側折込みフラップ２２ａ，２３ａとの隙間に上方から差し込んで閉塞する。これにより、包装ケース２０による被収容物Ａの包装が完了する。
【００４２】
上蓋部２１ａの差込みフラップ２１ｃを、前側外壁部２４と折込みフラップ２２ａ，２３ａとの隙間に上方から差し込んだ際、差込みフラップ２１ｃの差込み側平面部に形成した突出部２７が、包装ケース２０に収容された被収容物Ａの前側外周面Ａａに対し正面側から押し付けられる。
【００４３】
また、底蓋部２１ｂの差込みフラップ２１ｄの差込み側平面部にも突出部２７を形成しているので、被収容物Ａを、上面側開口部が開口された角筒状の包装ケース２０に収容した際、底蓋部２１ｂの差込みフラップ２１ｄに形成した突出部２７が、被収容物Ａの下部外周面Ａａに対し正面側から押し付けられる。
【００４４】
つまり、包装ケース２０に収容された被収容物Ａの上部外周面Ａａ及び下部外周面Ａａに、上蓋部２１ａの差込みフラップ２１ｃに形成した突出部２７と、底蓋部２１ｂの差込みフラップ２１ｄに形成した突出部２７とがそれぞれ押し付けられ、被収容物Ａの対向する前後外周面Ａａに対し接触抵抗が同時に付与される。
【００４５】
被収容物Ａに付与される接触抵抗が約２倍に増えるので、差込みフラップ２１ｃ，２１ｄのいずれか一方に形成された突出部２７を被収容物Ａに押し付けるよりも、被収容物Ａが回転しようとするのを積極的に防止することができる。また、輸送中において包装ケース２０に収容された被収容物Ａがガタ付くのを防止することができる。
【００４６】
これにより、輸送中に生じる振動や衝撃が包装ケース２０に収容された被収容物Ａに付与されても、被収容物Ａが周方向に回転するようなことがなく、被収容物Ａの向きが変位するのを防止することができる。
【００４７】
また、包装ケース２０に収容される被収容物Ａを、該被収容物Ａの商品名が印刷された表示面と、包装ケース２０の商品名が印刷された正面とを一致させて収容すれば、輸送中に生じる振動や衝撃が被収容物Ａに付与されても向きが変位することがなく、収容時の向きを保ったまま輸送することができる。
【００４８】
被収容物Ａを包装ケース２０に収容したまま展示する際、被収容物Ａの向きを修正するような手間及び作業が省け、被収容物Ａを収容時の向きに規制したまま展示することができる。
【００４９】
また、前側外壁部２４と前側内壁部２５とを２枚重ね合せて接着固定しているので、差込みフラップ２１ｃの突出部２７を被収容物Ａの前側外周面Ａａに対し押し付けた際の反発力によって、前側外壁部２４及び前側内壁部２５が外側へ変形するのを防止することができる。
【００５０】
上述とは逆に、前側外壁部２４及び前側内壁部２５の復元力によって、突出部２７が被収容物Ａの前側外周面Ａａに対し強く押し付けられるので、被収容物Ａが回転したり、ガタ付いたりするのを積極的に防止することができる。
【００５１】
また、差込みフラップ２１ｃ，２１ｄの突出部２７が被収容物Ａの外周面Ａａに押し付けられた際に付与される反力を利用して、上蓋部２１ａ及び底蓋部２１ｂが開放されるのを防止することができる。
【００５２】
図４の（ａ）は、縦長の突出部２８を差込みフラップ２１ｃに形成した第２の実施形態を示す斜視図、同図の（ｂ）は、突出部２８を被収容物Ａに押し付けた状態を示す横断平面図である。  
本例の実施形態は、突出部２８を、差込みフラップ２１ｃの差込み側平面部に沿って縦方向に平行して形成するとともに、左右方向に間隔を隔てて２条形成している。また、突出部２８は、差込みフラップ２１ｃの上下高さより短尺に形成している。
【００５３】
つまり、被収容物Ａを包装ケース２０に収容した後、上蓋部２１ａの差込みフラップ２１ｃを、前側内壁部２５と折込みフラップ２２ａ，２３ａとの隙間に差し込むことにより、突出部２８，２８が被収容物Ａの前側外周面Ａａに対し周方向に間隔を隔てて押し付けられる。  
これにより、被収容物Ａが回転したり、ガタ付いたりするのを防止することができるので、前記実施形態と略同等の作用及び効果を奏することができる。  
なお、突出部２８を、差込みフラップ２１ｃの上下高さと同等長さに形成してもよい。また、突出部２８を、例えば１条、２条以上等の所望する本数に変更してもよい。
【００５４】
図５の（ｃ）は、楔状の突出部２９を差込みフラップ２１ｃに形成した第３の実施形態を示す斜視図、同図の（ｄ）は、突出部２９の突出形状を示す縦断側面図である。  
本例の実施形態は、側面から見て楔状の突出部２９を、差込みフラップ２１ｃの差込み側平面部に沿って幅方向に形成するとともに、差込み側先端部から基端側連設部に向けて徐々に高くなる形状に形成している。
【００５５】
つまり、被収容物Ａを包装ケース２０に収容した後、上蓋部２１ａの差込みフラップ２１ｃを、前側内壁部２５と折込みフラップ２２ａ，２３ａとの隙間に差し込むことにより、突出部２９が被収容物Ａの前側外周面Ａａに対し押し付けられる。また、差込みフラップ２１ｃを差し込む程、突出部２９が被収容物Ａの前側外周面Ａａに対し強く押し付けられる。  
これにより、被収容物Ａが回転したり、ガタ付いたりするのを防止することができるので、前記実施形態と略同等の作用及び効果を奏することができる。
【００５６】
図６の（ｅ）は、滑らかな曲面を有する凹面形状の突出部３０を差込みフラップ２１ｃに形成した第４の実施形態を示す斜視図、同図の（ｆ）は、突出部３０を被収容物Ａに押し付けた状態を示す横断平面図である。  
本例の実施形態は、突出部３０を、差込みフラップ２１ｃの差込み側平面部に沿って幅方向に形成している。また、突出部３０の前面は、両端部から中央部に向けて徐々に低くなる滑らかな曲面形状に形成している。
【００５７】
つまり、被収容物Ａを包装ケース２０に収容した後、上蓋部２１ａの差込みフラップ２１ｃを、前側内壁部２５と折込みフラップ２２ａ，２３ａとの隙間に差し込むことにより、突出部３０が被収容物Ａの前側外周面Ａａに沿って押し付けられる。  
これにより、被収容物Ａが回転したり、ガタ付いたりするのを防止することができるので、前記実施形態と略同等の作用及び効果を奏することができる。また、包装ケース２０に収容された被収容物Ａを定位置にホールドすることができる。
【００５８】
図７の（ｇ）は、粘着体３１を差込みフラップ２１ｃの差込み側平面部に貼着した第５の実施形態を示す斜視図、同図の（ｈ）は、粘着体３１を被収容物Ａの前側外周面Ａａに押し付けた状態を示す横断平面図である。  
本例の実施形態は、粘着剤又は両面粘着テープで構成される粘着体３１を、差込みフラップ２１ｃの差込み側平面部に沿って幅方向（或いは縦方向）に貼着している。
【００５９】
つまり、被収容物Ａを包装ケース２０に収容した後、上蓋部２１ａの差込みフラップ２１ｃを、前側内壁部２５と折込みフラップ２２ａ，２３ａとの隙間に差し込むことにより、粘着体３１が被収容物Ａの前側外周面Ａａに対し押し付けられる。  
これにより、被収容物Ａの前側外周面Ａａに対し付与される粘着体３１の粘着力によって、被収容物Ａが回転したり、ガタ付いたりするのを防止することができるので、前記実施形態と略同等の作用及び効果を奏することができる。
【００６０】
なお、粘着体３１を貼着する代わりに、差込みフラップ２１ｃの差込み側平面部に対し例えば接着剤、粘着剤等を塗布するか、両面粘着テープ等を貼着してもよい。
【００６１】
図８の（ｉ）は、ドット状の突起３２を差込みフラップ２１ｃの差込み側平面部に複数形成した第６の実施形態を示す斜視図、同図の（ｊ）は、突起３２を被収容物Ａの前側外周面Ａａに押し付けた状態を示す横断平面図である。  
本例の実施形態は、ドット状の突起３２を、差込みフラップ２１ｃの差込み側平面部に沿って幅方向及び縦方向に対し等間隔を隔てて複数配列している。
【００６２】
つまり、被収容物Ａを包装ケース２０に収容した後、上蓋部２１ａの差込みフラップ２１ｃを、前側内壁部２５と折込みフラップ２２ａ，２３ａとの隙間に差し込むことにより、複数の突起３２が被収容物Ａの前側外周面Ａａに対し押し付けられる。  
これにより、被収容物Ａが回転したり、ガタ付いたりするのを防止することができるので、前記実施形態と略同等の作用及び効果を奏することができる。
【００６３】
図９の（９Ｘ）は、面状の粘着体３１を突出部２８に貼着した第７の実施形態を示す横断平面図である。  
本例の実施形態は、粘着体３１を、差込みフラップ２１ｃに形成された突出部２８の押し付け面に沿って貼着している。
【００６４】
つまり、被収容物Ａを包装ケース２０に収容した後、上蓋部２１ａの差込みフラップ２１ｃを、前側内壁部２５と折込みフラップ２２ａ，２３ａとの隙間に差し込むことにより、差込みフラップ２１ｃの突出部２８に貼着した粘着体３１が被収容物Ａの前側外周面Ａａに対し押し付けられる。  
これにより、被収容物Ａが回転したり、ガタ付いたりするのを防止することができるので、前記実施形態と略同等の作用及び効果を奏することができる。  
また、粘着体３１を、前記実施形態の突出部２９，３０に貼着してもよい。
【００６５】
同図９の（９Ｙ）は、ドット状の粘着体３１を差込みフラップ２１ｃの差込み側平面部に対し複数配列した他の実施形態を示す斜視図である。  
他の実施形態は、ドット状の粘着体３１を、差込みフラップ２１ｃの差込み側平面部に沿って幅方向及び縦方向に対し等間隔を隔てて複数配列している。  
上述と同様に、差込みフラップ２１ｃの差込み側平面部に配列したドット状の粘着体３１が被収容物Ａの前側外周面Ａａに対し押し付けられるので、前記実施形態と略同等の作用及び効果を奏することができる。
【００６６】
図１０の（ｋ）は、折曲げ片３３を差込みフラップ２１ｃに形成した第８の実施形態を示す横断平面図、同図の（ｍ）は、折曲げ片３３を被収容物Ａの前側外周面Ａａに押し付けた状態を示す横断平面図である。  
本例の実施形態は、弧状の折曲げ片３３を、差込みフラップ２１ｃの差込み側端部に対し折曲げ罫線２６を介して形成している。
【００６７】
つまり、被収容物Ａを包装ケース２０に収容した後、上蓋部２１ａの差込みフラップ２１ｃを、前側内壁部２５と折込みフラップ２２ａ，２３ａとの隙間に差し込む際、折曲げ片３３を被収容物Ａの前側外周面Ａａと対向する方向へ折曲げてから差し込むことにより、折曲げ片３３が被収容物Ａの前側外周面Ａａに対し押し付けられる。  
これにより、被収容物Ａが回転したり、ガタ付いたりするのを防止することができるので、前記実施形態と略同等の作用及び効果を奏することができる。
【００６８】
図１１の（ｎ）は、折曲げ片３４を差込みフラップ２１ｃに形成した第９の実施形態を示す横断平面図、同図の（ｏ）は、折曲げ片３４を被収容物Ａの前側外周面Ａａに押し付けた状態を示す横断平面図である。  
本例の実施形態は、矩形の折曲げ片３４を、差込みフラップ２１ｃの差込み側端部に対し折曲げ罫線２６を介して形成している。また、折曲げ片３４の弧状先端部は、被収容物Ａの前側外周面Ａａと対応して滑らかな曲面に形成している。
【００６９】
つまり、被収容物Ａを包装ケース２０に収容した後、上蓋部２１ａの差込みフラップ２１ｃを、前側内壁部２５と折込みフラップ２２ａ，２３ａとの隙間に差し込む際、折曲げ片３４を被収容物Ａの前側外周面Ａａと対向する方向へ直角に折曲げてから差し込むことにより、折曲げ片３４の弧状先端部が被収容物Ａの前側外周面Ａａに対し押し付けられる。  
これにより、被収容物Ａが回転したり、ガタ付いたりするのを防止することができるので、前記実施形態と略同等の作用及び効果を奏することができる。
【００７０】
この発明の構成と、前記実施形態との対応において、  
この発明の蓋部は、実施形態の上蓋部２１ａ及び底蓋部２１ｂに対応し、  
以下同様に、  
両側壁部は、右側壁部２２と、左側壁部２３に対応し、  
接触抵抗付与部は、突出部２７〜３０と、粘着体３１と、突起３２と、折曲げ片３３，３４に対応し、  
凸部は、突出部２７〜３０に対応し、  
折曲げ部は、折曲げ片３３，３４に対応するも、  
この発明は、上述の実施形態の構成のみに限定されるものではなく、請求項に示される技術思想に基づいて応用することができ、多くの実施の形態を得ることができる。  
前記実施形態では、上蓋部２１ａの差込みフラップ２１ｃに、突出部２８〜３０及び粘着体３１、突起３２、折曲げ片３３，３４を設けた例を説明したが、底蓋部２１ｂの差込みフラップ２１ｄに設けてもよい。  
また、突出部２７〜３０及び粘着体３１、突起３２、折曲げ片３３，３４の複数を組み合わせてもよい。
【００７１】
さらに、差込みフラップ２１ｃ，２１ｄの差込み側平面部に、例えば梨地、網地、格子等の接触抵抗を付与するための凹凸或いは模様を形成してもよい。
【符号の説明】
【００７２】
Ａ…被収容物
Ａａ…外周面
２０…包装ケース
２１…後側壁部
２１ａ…上蓋部
２１ｂ…底蓋部
２２…右側壁部
２３…左側壁部
２１ｃ，２１ｄ…差込みフラップ
２２ａ，２３ａ…折込みフラップ
２４…前側外壁部
２５…前側内壁部
２６…折曲げ罫線
２７，２８，２９，３０…突出部
３１…粘着体
３２…突起
３３，３４…折曲げ片
【図１】
0005666838.tif 000002
【図２】
0005666838.tif 000003
【図３】
0005666838.tif 000004
【図４】
0005666838.tif 000005
【図５】
0005666838.tif 000006
【図６】
0005666838.tif 000007
【図７】
0005666838.tif 000008
【図８】
0005666838.tif 000009
【図９】
0005666838.tif 000010
【図１０】
0005666838.tif 000011
【図１１】
0005666838.tif 000012